(57)【特許請求の範囲】
【請求項１】
基礎床上に床支持具を複数個配置し、これらの床支持具上に、床材を、壁面との間、及び、幅木との間にそれぞれ所定の隙間を設けて配置して成る二重床を施工する際に、上記各隙間に挿入されるスペーサ部材であって、床材と壁面との隙間に挿入される垂直片と、上記垂直片と連結され、床材と幅木との隙間に挿入される水平片とを有するとともに、当該スペーサ部材の表面の一部あるいは全面には、複数の突起が設けられていることを特徴とする二重床用スペーサ部材。
【請求項２】
基礎床上に床支持具を複数個配置し、これらの床支持具上に、床材を、壁面との間、及び、幅木との間にそれぞれ所定の隙間を設けて配置して成る二重床を施工する際に、上記各隙間に挿入されるスペーサ部材であって、床材と壁面との隙間に挿入される垂直片と、上記垂直片と連結され、床材と幅木との隙間に挿入される水平片とを有するとともに、当該スペーサ部材の表面の一部あるいは全面には、複数の凹部あるいは貫通孔が設けられていることを特徴とする二重床用スペーサ部材。
【請求項３】
上記突起、凹部、または貫通孔を、上記スペーサ部材の床材と接触する面に設けたことを特徴とする請求項１または請求項２に記載の二重床用スペーサ部材。
【請求項４】
上記スペーサ部材の少なくとも床材と接触する部位を弾性部材で構成したことを特徴とする請求項１〜請求項３のいずれかに記載の二重床用スペーサ部材。
【発明の詳細な説明】
【０００１】
【発明の属する技術分野】
本発明は、基礎床上に複数の床支持具を介して床材を配置して成る二重床を施工する際に、床材と壁面との間、及び、床材幅木との間に所定の大きさの隙間を確保する方法と、これらの隙間を確保するために用いられるスペーサ部材に関するものである。
【０００２】
【従来の技術】
近年、集合住宅等の各種建造物においては、スラブ上に複数の床支持具を介して床材を配置して成る二重床を施工する際に、床衝撃音を低減するため、例えば、図９に示すように、スラブ１０上にクッション性を有する防振材を備えた複数の床支持具１１を配置し、その上に複数の床部材１２Ａ，１２Ｂ，１２Ｃを積層した床材１２を配置するようにしている。このとき、壁１３側に位置する床材の端部１２ｅは、壁１３表面から２ｍｍ以上離した位置に設置された際根太１４といわれる支持部材により支持される。これにより、壁際に家具等の重量物が設置された場合でも、床材の端部１２ｅが沈み込まないようにしている。なお、上記際根太１４は、支柱１４ａと台座１４ｂとを介してスラブ１０に接地される。
上記床支持具１１は、上部に床材１２を取付けるための矩形状の台座１１ａを有する支柱１１ｂと、この支柱１１ｂの下部を支持し、上記スラブ１０面に接地する、ゴム等より成る防振材１１ｃとから成り、床衝撃音等の上記床材１２からの振動が、スラブ１０を介して階下に伝達されるのを防止する。
一方、際根太１４は、通常、木材から成り、クッション性を有しないので、上記床材１２からの振動（固定伝播音）が壁１３を介して階下に伝達されるのを防止するためと、上記床材１２の振動に起因する二重床下の空気共振音の発生を防止するために、床材１２と壁１３との間に２ｍｍ程度の空気連通路（隙間）１３ｓが設けられている。また、部屋の隅に当たる壁１３の表面の上記床材１２の直上には、壁１３の表面に沿って幅木１５が取付けられるが、この幅木１５を取付ける際にも、床材１２と幅木１５との間に、上記空気連通路１３ｓに連通する２ｍｍ程度の空気連通路（隙間）１５ｓを設けるようにしている。
この隙間１３ｓ，１５ｓは、大きければそれだけ床振動の伝播や空気共振音の発生を防止することができ、遮音性能は向上するが、部屋の構成上、床材１２と壁１３との間、及び、床材１２と幅木１５との間の隙間の大きさはできるだけ小さい方がよいので、現状では、上記のように、上記隙間の大きさを２ｍｍ程度としている。
また、間仕切壁１６が設けられている場合には、最表面の床部材１２Ａと間仕切壁１６との間、及び、上記間仕切壁１６面の上記床部材１２Ａの直上に取付けられた幅木１７と上記床部材１２Ａとの間に、２ｍｍ程度の隙間１６ｓ及び隙間１７ｓをそれぞれ設ける。
上記間仕切壁１６は、上階のスラブである天井１８側に断面がコの字状に形成された天井側ランナー１６ａを取付け、床材１２側にも断面がコの字状の床側ランナー１６ｂを取付け、上記ランナー１６ａ，１６ｂの凹部間に下地柱としての間柱１６ｃを固定するとともに、上記間柱１６ｃの表面に石膏ボード等の壁材１６ｄを貼り付けることにより構築される。このとき、遮音性能を向上させるため、上記床側ランナー１６ｂの凹部内底部にゴム等のクッション材１６ｋを敷き詰めるとともに、上記間柱１６ｃ及び壁材１６ｄの下端側は上記床側ランナー１６ｂに固定しないようにする。これにより、上記間仕切壁１６は、天井側ランナー１６ａを介して、天井１８に吊られている状態となるので、上階からの振動の伝播を低減することができる。
【０００３】
【発明が解決しようとする課題】
しかしながら、床材１２と壁１３との間や床材１２と間仕切壁１６との間の隙間を確実に所定の寸法に保ちつつ床材１２を配置したり、床材１２と所定の隙間を確保しながら幅木１５，１７を取付ける作業は非常に注意を要するため、作業性が悪いだけでなく、熟練を要するため、作業員により隙間の大きさに差がでてしまい、そのため、遮音性能が低下したり、床材１２と壁１３，間仕切壁１６との間や床材１２と幅木１５，１７との間に不用な隙間ができてしまうといった問題点があった。
更には、上記隙間が十分確保できない場合には、床材１２と壁１３，間仕切壁１６、もしくは、幅木１５，１７とが擦れることによって摩擦音が発生するなどの問題点があった。
【０００４】
本発明は、従来の問題点に鑑みてなされたもので、二重床を施工する際に、床材と壁面との間、及び、床材と幅木との間の隙間を確実に確保する方法と、これに用いる二重床用スペーサ部材を提供することを目的とする。
【０００８】
【課題を解決するための手段】
本願の請求項１に記載の発明は、基礎床上に床支持具を複数個配置し、これらの床支持具上に、床材を、壁面との間、及び、幅木との間にそれぞれ所定の隙間を設けて配置して成る二重床を施工する際に、上記２つの隙間に挿入されるスペーサ部材であって、床材と壁面との隙間に挿入される垂直片と、上記垂直片と連結され、床材と幅木との隙間に挿入される水平片とを有するとともに、当該スペーサ部材の表面の一部あるいは全面には、複数の突起が設けられていることを特徴とするものである。スペーサ部材の、上記垂直片と水平片から成る略Ｌ字型の挿入部を上記２つの隙間にそれぞれ挿入することにより、上記２つの隙間を同時にかつ確実に確保することが可能となるとともに、上記突起によりスペーサ部材と床材や壁などとの接触面積を少なくできるので、遮音性能を向上させることができる。
また、請求項２に記載の発明は、基礎床上に床支持具を複数個配置し、これらの床支持具上に、床材を、壁面との間、及び、幅木との間にそれぞれ所定の隙間を設けて配置して成る二重床を施工する際に、上記各隙間に挿入されるスペーサ部材であって、床材と壁面との隙間に挿入される垂直片と、上記垂直片と連結され、床材と幅木との隙間に挿入される水平片とを有するとともに、当該スペーサ部材の表面の一部あるいは全面には、複数の凹部あるいは貫通孔が設けられていることを特徴とするものである。これにより、上記２つの隙間を同時にかつ確実に確保することが可能となるとともに、上記凹部あるいは貫通孔によりスペーサ部材と床材や壁などとの接触面積を少なくできるので、遮音性能を向上させることができる。
請求項３に記載の発明は、上記請求項１に記載の突起、あるいは、上記請求項２に記載の凹部または貫通孔を、上記スペーサ部材の床材と接触する面に設けたものである。
【０００９】
また、請求項４に記載の発明は、請求項１〜請求項３のいずれかに記載の二重床用スペーサ部材において、上記スペーサ部材の少なくとも床材と接触する部位を弾性部材で構成したものである。
【００１０】
【発明の実施の形態】
以下、本発明の実施の形態について、図面に基づき説明する。
図１は、本発明の一実施の形態を示す図で、同図において、１０は基礎床であるスラブ、１１は上部に床材１２を取付けるための矩形状の台座１１ａを有する支柱１１ｂと、この支柱１１ｂをスラブ１０上に保持するクッション性を有する防振材１１ｃとを備え、スラブ１０に接地される床支持具、１２は床表面から順に床部材であるフローリング１２Ａ，捨張合板１２Ｂ，パーティクルボード１２Ｃを積層して成る床材、１３は壁、１４は支柱１４ａと台座１４ｂとを介してスラブ１０に接地され、かつ、壁１３表面から２ｍｍ以上離した位置に設置された、上記床材の端部（床材１２の最表面に位置するフローリング１２Ａの端部）１２ｅ，１２ｆを支持する際根太、１５は上記壁１３の表面の上記床材１２の直上に上記壁１３に沿って取付けられる幅木、１６は間仕切壁、１７はこの間仕切壁１６に取付けられる幅木である。
上記二重床を施工する際には、上記フローリング１２Ａの壁１３側の端部１２ｅと壁１３との間、及び、上記フローリング１２Ａと幅木１５との間に、２ｍｍ前後の隙間（空気連通路）１３ｓ，１５ｓを設けるとともに、間仕切壁１６と上記フローリング１２Ａとの間、及び、上記フローリング１２Ａと幅木１７との間にも２ｍｍ前後の隙間１６ｓ，１７ｓを設ける。
本例では、上記空気連通路１３ｓ，１５ｓに相当する部分に断面形状がコの字型の第１のスペーサ部材２０を挿入するとともに、上記隙間１６ｓ，１７ｓに相当する部分に断面形状が逆Ｌ字型の第２のスペーサ部材３０を挿入し、上記空気連通路１３ｓ，１５ｓ、及び、隙間１６ｓ，１７ｓの大きさを、いずれも、２ｍｍ前後の大きさになるようにしている。なお、他の従来と同一構成部分については同一符号を付し、その説明を省略する。
【００１１】
第１のスペーサ部材２０は、図２及び図３にも示すように、ゴム等の弾性部材から成る垂直片２０ａと、この垂直片２０ａの両端から水平方向に突出する２個のゴム等の弾性部材から成る水平片２０ｂ，２０ｃとから成る断面形状がコの字型の部材で、上記第１のスペーサ部材２０の凹部の垂直片２０ａ上、すなわち、第１のスペーサ部材２０のフローリング１２Ａの壁１３側の端部１２ｅの側面と接触する面には、上記フローリング１２Ａ側に突出する、ゴム等の弾性部材から成る複数の半球状の突起２０ｋが設けられている。これにより、上記第１のスペーサ部材２０の凹部にフローリングの端部１２ｅを差し込むことにより、第１のスペーサ部材２０をフローリングの端部１２ｅに装着することができる。なお、本例では、上記第１のスペーサ部材２０をフローリングの端部１２ｅに、容易にかつ確実に装着するため、上記水平片２０ｂ，２０ｃの突出方向を、フローリング１２Ａ側に対して互いに接近するように垂直片２０ａに取付けて、上記第１のスペーサ部材２０の凹部の形状を、開口側の幅が狭いテーパ状になるようにしている。
【００１２】
また、第２のスペーサ部材３０は、図４及び図５にも示すように、ゴム等の弾性部材から成る垂直片３０ａと、この垂直片３０ａの上端（幅木１７が取付けられる側の端部）から壁１３とは反対方向に水平に突出するゴム等の弾性部材から成る水平片３０ｂとから成る断面形状が逆Ｌ字型の部材で、上記垂直片３０ａのフローリング１２Ａの間仕切壁１６側の端部１２ｆの側面と接触する面には、上記フローリング１２Ａ側に突出する、ゴム等の弾性部材から成る複数の半球状の突起３０ｋが設けられている。
なお、上記第２のスペーサ部材３０をフローリングの端部１２ｆに装着する場合には、上記端部１２ｆの側面が上記垂直片３０ａに、端部１２ｆ上面が水平片３０ｂにそれぞれ接するように、上記第２のスペーサ部材３０をフローリングの端部１２ｆに固定または仮止めする。
【００１３】
次に、二重床の施工方法について説明する。
まず、スラブ１０上に、複数の床支持具１１と、支柱１４ａ及び台座１４ｂを備えた際根太１４とを配置し、その上にパーティクルボード１２Ｃ，捨張合板１２Ｂを配置した後、間仕切壁１６を立設する。次に、上記捨張合板１２Ｂ上に最表層の床部材であるフローリング１２Ａを配置する。このとき、フローリング１２Ａの壁１３側の端部１２ｅに第１のスペーサ部材２０を取付けた状態で、フローリング１２Ａを捨張合板１２Ｂ上に配置することにより、床材１２と壁１３との間の空気連通路１３ｓと、床材１２と間仕切壁１６との間の隙間１６ｓを確保するようにしている。
ここで、上記第１のスペーサ部材２０において、幅木１５が取付けられる側の水平片２０ｂの厚さを所定の厚さである２ｍｍにするとともに、上記垂直片２０ａの厚さと上記突起２０ｋの厚さである頂部までの距離との和を、所定の距離である２ｍｍとすることにより、上記第１のスペーサ部材２０を装着したフローリングの端部１２ｅを壁１３に押し付けたとき、フローリングの端部１２ｅと壁１３との隙間１３ｓの大きさをほぼ２ｍｍに規制することができる。
また、上記第２のスペーサ部材３０において、幅木１７が取付けられる側の水平片３０ｂの厚さを２ｍｍにするとともに、上記垂直片３０ａの厚さと上記突起３０ｋの厚さの和を、所定の距離である２ｍｍとし、第１のスペーサ部材２０を装着したフローリング１２Ａを配置した後、フローリング１２Ａの間仕切壁１６側の端部１２ｆと間仕切壁１６との間にできた隙間１６ｓに上記第２のスペーサ部材３０を挿入することにより、フローリングの端部１２ｆと間仕切壁１６との隙間１６ｓの大きさをほぼ２ｍｍに規制することができる。
なお、上記第２のスペーサ部材３０を、予めフローリングの端部１２ｆに固定または仮止めしておき、両端部スペーサ部材２０，３０が装着されたフローリング１２Ａを捨張合板１２Ｂ上に配置するようにしてもよい。
【００１４】
次に、壁１３及び間仕切壁１６の上記フローリング１２Ａの直上に、それぞれ、幅木１５，１７を取付ける。
具体的には、幅木１５を取付けるときには、上記第１のスペーサ部材２０の水平片２０ｂに幅木１５の下端部が接するように取付け、幅木１７を取付けるときには、上記第２のスペーサ部材３０の水平片３０ｂに幅木１７の下端部が接するように取付けるようにすれば、上記幅木１５及び幅木１７とフローリング１２Ａとの隙間１５ｓ，１７ｓの大きさをほぼ２ｍｍに規制することができる。
【００１５】
また、上記第１及び第２のスペーサ部材２０，３０は、弾性体で構成されており、かつ、フローリングの端部１２ｅ，１２ｆの側面とは、複数の半球状の突起２０ｋ，３０ｋの各頂点で接しているため、フローリング１２Ａと第１及び第２のスペーサ部材２０，３０との接触面積が小さい。したがって、床材１２からの床衝撃音が壁１３及び間仕切壁１６にはほとんど伝達されないので、遮音性能を高めることが可能となるだけでなく、温度や湿度等の変化に伴うフローリング１２Ａの伸縮に対応することができるという利点を有する。
なお、上記第１のスペーサ部材２０は、上,下が同じ形状になっているため、上，下を逆にしてもフローリングの端部１２ｅに装着可能である。したがって、取り扱いが容易であり、作業性も向上する。
【００１６】
このように本実施の形態では、二重床を施工する際に、フローリング１２Ａの壁１３側の端部１２ｅに、断面形状が略コの字型の第１のスペーサ部材２０を装着して、フローリング１２Ａと壁１３との間の隙間１３ｓを確保し、フローリング１２Ａの間仕切壁１６側の端部１２ｆと間仕切壁１６との隙間に、断面形状が略Ｌ字型の第２のスペーサ部材３０を挿入して、フローリング１２Ａと間仕切壁１６との隙間１６ｓを確保するとともに、幅木１５，１７を取付ける際には、上記第１及び第２のスペーサ部材２０，３０の水平片２０ｂ，３０ｂの厚さにより、フローリング１２Ａと幅木１５，１７との間の隙間１５ｓ，１７ｓの大ききさを規制するようにしているので、二重床の遮音に必要な上記隙間１３ｓ，１５ｓ，１６ｓ，１７ｓの大きさを確実に確保することができるだけでなく、床材１２の配置と幅木１５，１７の取付けを容易に行うことができるので、作業性を著しく向上させることができる。
また、上記隙間１３ｓ，１５ｓ，１６ｓ，１７ｓの大きさが確実に確保されるので、床材１２と壁１３，間仕切壁１６、あるいは、床材１２と幅木１５，１７とが擦れることによって生じる摩擦音の発生を防止することができる。
【００１７】
なお、上記実施の形態では、フローリング１２Ａの壁１３側の端部１２ｅに、断面形状が略コの字型の第１のスペーサ部材２０を装着したが、フローリング１２Ａと壁１３との間に上記断面形状が略Ｌ字型の第２のスペーサ部材３０を挿入するようにしても、床材１２と壁１３との間の空気連通路１３ｓと、床材１２と幅木１５との間の隙間１５ｓを確保することができる。
また、上記例では、第１及び第２のスペーサ部材２０，３０のフローリングの端部１２ｅ，１２ｆの側面と接触する面に複数の半球状の突起２０ｋを設けたが、上記突起２０ｋを上記端部１２ｅ，１２ｆの上面（幅木１５，１７側の面）と接触する面にも設けてもよい。
また、図６，図７に示すように、上記突起３０ｋに代えて、フローリングの端部１２ｅ，１２ｆと接触する面（例えば、垂直片３０ａのフローリング１２Ａ側の面）に、複数の貫通孔３０ｐを設けたスペーサ部材３０Ｐや、複数の不連続な穴部３０ｑを設けたスペーサ部材３０Ｑを使用してもよい。あるいは、図８に示すように、複数の溝部３０ｒを形成したスペーサ部材３０Ｒを使用しても、同様の効果を得ることができる。なお、上記スペーサ部材３０Ｐ，３０Ｑ，３０Ｒにおいては、垂直片３０ａの厚さを２ｍｍに設定する。
また、上記図６〜図８では、断面形状が略Ｌ字型の第２のスペーサ部材３０と同形状のスペーサ部材３０Ｐ，３０Ｑ，３０Ｒを示したが、上記同様の複数の貫通孔、穴部、あるいは、溝部を有する、断面形状が略コの字型の第１のスペーサ部材２０と同形状のスペーサ部材を用いてもよい。
なお、上述の各スペーサ部材の突起、貫通孔、穴部、あるいは、溝部を設ける部分は、特に限定されるものではなく、スペーサ部材の、フローリングの端部１２ｅ，１２ｆ側、または、壁１３もしくは間仕切壁１６側、あるいは、幅木１５，１７側の表面の一部あるいは全面に設けるようにしてもよい。すなわち、上記スペーサ部材と床材１２や壁１３などとの接触面積を小さくして、床材１２からの振動が伝わりにくくなるようにすればよい。
【００１８】
【発明の効果】
以上説明したように、二重床を施工する際に、床材と壁面との間、及び、床材と幅木との間の隙間に、その表面の一部あるいは全面に、複数の突起、もしくは、凹部、もしくは、貫通孔が設けられている、少なくとも２つの挿入片を有するスペーサ部材を準備し、このスペーサ部材の上記各挿入片を上記隙間に挿入して上記２つの隙間を同時に確保するようにしたので、床材と壁面との間、及び、床材と幅木との間の隙間を確実に確保することができるとともに、床材と壁や間仕切壁、もしくは幅木とが擦れることによって生じる摩擦音の発生を確実に防止することができる。
更に、床材の配置と幅木の取付けを容易に行うことができるので、作業性を著しく向上させることができる。
【図面の簡単な説明】
【図１】  本発明の一実施の形態を示す模式図である。
【図２】  本実施の形態に係る第１のスペーサ部材を示す図である。
【図３】  第１のスペーサ部材の取付け状態を示す図である。
【図４】  本実施の形態に係る第２のスペーサ部材を示す図である。
【図５】  第２のスペーサ部材の取付け状態を示す図である。
【図６】  本発明によるスペーサ部材の他の構成を示す図である。
【図７】  本発明によるスペーサ部材の他の構成を示す図である。
【図８】  本発明によるスペーサ部材の他の構成を示す図である。
【図９】  従来の二重床構造を示す断面図である。
【符号の説明】
１０  スラブ、１１  床支持具、１１ａ  台座、１１ｂ  支柱、１１ｃ  防振材、１２  床材、１２Ａ  フローリング、１２Ｂ  捨張合板、１２Ｃ  パーティクルボード、１２ｅ，１２ｆ  床材の端部（フローリングの端部）、１３  壁、１３ｓ，１５ｓ  空気連通路（隙間）、１４  際根太、１４ａ  際根太の支柱、１４ｂ  際根太の台座、１５，１７  幅木、１６  間仕切壁、１６ｓ，１７ｓ  隙間、１６ｋ  クッション材、１８  天井、２０  第１のスペーサ部材、２０ａ  垂直片、２０ｂ，２０ｃ  水平片、２０ｋ  半球状の突起、３０  第２のスペーサ部材、３０ａ  垂直片、３０ｂ  水平片、３０ｋ  半球状の突起。
【図１】
0004068396.tif 000002
【図２】
0004068396.tif 000003
【図３】
0004068396.tif 000004
【図４】
0004068396.tif 000005
【図５】
0004068396.tif 000006
【図６】
0004068396.tif 000007
【図７】
0004068396.tif 000008
【図８】
0004068396.tif 000009
【図９】
0004068396.tif 000010